(57)【要約】【課題】ユーザに対してユーザ以外が撮影した画像を提供すること。【解決手段】撮影装置４０は、ヘルパー装置６０からの撮影指示を受けて撮影し、得られた画像に画像ＩＤを付与する。撮影装置４０は、画像ＩＤを端末装置１０に通知するとともに、画像ＩＤと画像データの組み合わせをサーバ３０にアップロードする。サーバ３０は、クライアント２０から画像ＩＤを指定した画像データの要求を受けた場合に、対応する画像データにユーザＩＤや事業者ＩＤなどを電子透かしとして埋め込んだ透かし入り画像データを作成し、クライアント２０に提供する。【選択図】図１
2011242865.tif 000002
【特許請求の範囲】
【請求項１】
撮影装置が画像を撮影するステップと、
前記撮影装置が撮影した画像に画像識別情報を付与するステップと、
前記撮影装置がユーザ用端末に前記画像識別情報を送信するステップと、
前記画像識別情報と前記画像とを対応付けてサーバに格納するステップと、
前記サーバが前記画像識別情報を指定した画像の要求を受けた場合に、指定された画像識別情報に対応する画像に電子透かしを埋め込むステップと、
前記サーバが前記電子透かしを埋め込んだ画像を提供するステップと
を含んだことを特徴とする画像提供方法。
【請求項２】
撮影装置が画像を撮影するステップと、
前記撮影装置が撮影した画像に画像識別情報を付与するステップと、
前記撮影装置がユーザ用端末に前記画像識別情報を送信するステップと、
前記画像識別情報と前記画像とを対応付けてサーバに格納するステップと、
前記サーバが前記画像に電子透かしを埋め込むステップと、
前記サーバが前記画像識別情報を指定した画像の要求を受けた場合に、指定された画像識別情報に対応する前記電子透かしを埋め込んだ画像を提供するステップと
を含んだことを特徴とする画像提供方法。
【請求項３】
前記撮影装置が前記ユーザ用端末からユーザ情報を取得するステップをさらに含み、
前記電子透かしを埋め込むステップは、前記ユーザ情報を埋め込むことを特徴とする請求項１または２に記載の画像提供方法。
【請求項４】
前記電子透かしを埋め込むステップは、前記サーバが保持する事業者情報を埋め込むことを特徴とする請求項１〜３のいずれか一つに記載の画像提供方法。
【請求項５】
前記電子透かしを埋め込んだ画像を取得したクライアント装置が、前記電子透かしに埋め込まれた情報を読み出すステップをさらに含んだことを特徴とする請求項１〜４のいずれか一つに記載の画像提供方法。
【請求項６】
画像を撮影して画像識別情報を付与し、ユーザ用端末に前記画像識別情報を送信する撮影装置と、
前記画像に電子透かしを埋め込む電子透かし処理部と、
前記画像識別情報と前記画像、もしくは前記画像識別情報と前記電子透かしを埋め込んだ画像を対応付けて保持し、前記画像識別情報を指定した画像の要求を受けた場合に、指定された画像識別情報に対応する前記電子透かしを埋め込んだ画像を提供するサーバと
を備えたことを特徴とする画像提供システム。
【請求項７】
前記撮影装置は前記ユーザ用端末からユーザ情報を取得し、
前記電子透かし処理部は、ユーザ情報を埋め込むことを特徴とする請求項６に記載の画像提供システム。
【請求項８】
前記電子透かし処理部は、事業者情報を埋め込むことを特徴とする請求項６または７に記載の画像提供システム。
【請求項９】
前記電子透かしを埋め込んだ画像を取得し、前記電子透かしに埋め込まれた情報を読み出すクライアント装置をさらに備えたことを特徴とする請求項６〜８のいずれか一つに記載の画像提供システム。
【発明の詳細な説明】
【技術分野】
【０００１】
本発明は、画像提供方法および画像提供システムに関するものである。
【背景技術】
【０００２】
近年、画像データの活用が進んでいる。画像データの作成には、デジタルカメラを用いた撮影に加え、携帯電話端末や音楽再生装置などに搭載されたカメラによる撮影が広く用いられている。また、画像データの活用方法も多様化している。一例として、ユーザが日常的に撮影を行なって画像データを含んだ行動記録をライフログとして作成する利用方法が知られている。
【０００３】
このように画像データの利用が進むにつれて、ユーザが手持ちの記録装置で撮影した画像のみならず、他者の記録装置やその装置による記録データを利用可能とすることが求められている。特に、画像データをライフログに用いる場合には、ユーザが行動した範囲について種々の画像を提供することが望まれる。
【０００４】
ユーザが手持ちの記録装置で撮影する以外の画像データの利用方法としては、テーマパークなどでの記念撮影サービスや、監視カメラなどの利用方法が知られている。
【先行技術文献】
【非特許文献】
【０００５】
【非特許文献１】http://guide.usj.co.jp/ja/shop/j_spm_photo_op.do(2010/04/26)
【非特許文献２】http://www.ncam.net/index.html(2010/04/05)
【発明の概要】
【発明が解決しようとする課題】
【０００６】
しかしながら、上述した従来のサービスにおいては、ユーザの手持ちの記録装置以外の装置で撮影された画像を自由に入手する手段が設けられておらず、電子データを入手して自由に利用することもできない。
【０００７】
たとえば、記念撮影サービスでは、撮影を行なった場所で写真を購入するかを決定することが求められ、画像データを後から入手することができない。また、監視カメラは、その目的からユーザへの提供を想定した画像を撮影するものではなく、画像データを提供することもない。
【０００８】
本発明は、上記に鑑みてなされたものであって、ユーザに対してユーザ以外が撮影した画像を提供する画像提供方法および画像提供システムを提供することを目的とする。
【課題を解決するための手段】
【０００９】
本願の開示する画像提供方法および画像提供システムは、画像を撮影して画像識別情報を付与し、ユーザ用端末に前記画像識別情報を送信する。また、画像識別情報と画像をサーバに保持し、サーバが画像識別情報を指定した画像の要求を受けた場合は、指定された画像識別情報に対応する画像に電子透かしを埋め込んだ画像を提供する。
【発明の効果】
【００１０】
本願の開示する画像提供方法および画像提供システムによれば、ユーザに対してユーザ以外が撮影した画像を提供する画像提供方法および画像提供システムを得ることができるという効果を奏する。
【図面の簡単な説明】
【００１１】
【図１】図１は、本実施例にかかる画像提供システムの構成図である。
【図２】図２は、本実施例にかかる画像提供システムの動作説明図である。
【図３】図３は、撮影装置と端末装置の処理動作を説明するフローチャートである。
【図４】図４は、クライアントの処理動作を説明するフローチャートである。
【図５】図５は、サーバの処理動作を説明するフローチャートである。
【図６】図６は、端末装置１０の移動と画像ＩＤの取得についての説明図である。
【図７】図７は、行動マップの具体例の説明図である。
【図８】図８は、画像マップの具体例の説明図である。
【発明を実施するための形態】
【００１２】
以下に、本発明にかかる画像提供方法および画像提供システムの実施例を図面に基づいて詳細に説明する。なお、この実施例によりこの発明が限定されるものではない。
【実施例】
【００１３】
図１は、本実施例にかかる画像提供システムの構成図である。図１に示した画像提供システムは、端末装置１０、クライアント２０、サーバ３０、撮影装置４０およびヘルパー装置６０を備える。
【００１４】
端末装置１０は、ユーザが携行するユーザ用端末であり、例えば携帯電話などのユーザ所有の装置やテーマパークなどから貸与された装置である。撮影装置４０は、街頭や遊園地、テーマパーク、展示会場などに設置された撮影装置であり、ヘルパー装置６０からの撮影指示に基づいて撮影を行なう。ヘルパー装置６０は、例えばテーマパークのキャラクターの着ぐるみを着たスタッフなどが携行する撮影補助端末である。
【００１５】
端末装置１０を携行するユーザが、ヘルパー装置６０を携行するスタッフの近傍で記念撮影などを希望する場合、端末装置１０とヘルパー装置６０で識別情報を交換し、ヘルパー装置６０から撮影装置４０に撮影指示を送信して撮影を行なう。このようにヘルパー装置６０からの撮影指示に基づいて撮影を行なうことで、無作為に撮影を行なう場合に比して端末装置１０を携行するユーザを確実に撮影する事ができ、また端末装置１０を携行するユーザの良好な画像を得る事ができる。
【００１６】
加えて、撮影装置４０は、ヘルパー装置６０の識別情報に基づいて撮影条件を決定する。撮影条件は、画像の背景や撮影時の効果処理を含む。また、撮影した画像データに対して行なう画像処理を含む。このように、ヘルパー装置６０の識別情報に基づいて撮影条件を決定することで、ヘルパー装置６０を携行するキャラクターなどに合せた画像データを得る事ができる。さらに、端末装置１０の識別情報に基づいて撮影条件を決定すれば、端末装置１０を携行するユーザに合せた画像データを得る事ができる。
【００１７】
撮影装置４０が撮影した画像は、画像ＩＤを付与されてサーバ３０に格納される。ユーザは、クライアント２０から画像ＩＤを指定した画像データの要求を行なう事で、サーバ３０から所望の画像データを取得する事ができる。クライアント２０は、例えばユーザが所有するコンピュータなどであってもよいし、端末装置１０と一体であっても良い。
【００１８】
サーバ３０は、クライアント２０に対して画像データを提供する際に、電子透かしを埋め込んだ画像を提供する。電子透かしには、ユーザＩＤなどユーザに関する情報や、事業者の識別情報など事業者に関する情報を埋め込むことができる。このように、ユーザや事業者に関する情報を電子透かしとして埋め込むことで、不正な画像の流用を監視できるため、著作権の保護などを行なうことが可能である。
【００１９】
なお、ユーザ情報は、端末装置１０から撮影装置４０を介して取得しても良いし、クライアント２０から取得しても良い。また、事業者情報は、予めサーバ３０に保持しておくことが好ましい。
【００２０】
図１に示したように、端末装置１０は、無線信号送受信部１１、データ保存部１２、信号送受信部１３、制御部１４、表示部１５を有する。無線信号送受信部１１は、ヘルパー装置６０に対するユーザＩＤの送信、ヘルパー装置６０からのヘルパーＩＤの受信、撮影装置４０に対するユーザＩＤとヘルパーＩＤの送信、撮影装置４０からの画像ＩＤの受信に用いる無線通信インタフェースである。
【００２１】
制御部１４は、端末装置１０の動作を制御する制御部であり、ユーザからの操作に基づいてデータ保存部１２からユーザＩＤを読み出してヘルパー装置６０に送信し、ヘルパー装置６０から受信したヘルパーＩＤをデータ保存部１２に保存する。また、制御部１４は、ユーザＩＤとヘルパーＩＤを撮影装置４０に送信し、撮影装置４０から画像ＩＤを受信して表示部１５に表示するとともに、データ保存部２３に保存する。さらに、制御部１４は、データ保存部１２から画像ＩＤを読み出して信号送受信部１３を介してクライアント２０に送信する。端末装置１０は、ユーザに携行されて移動するため、複数の撮影装置から受信した画像ＩＤを蓄積し、蓄積した画像ＩＤをクライアント２０に送信することができる。
【００２２】
ヘルパー装置６０は、無線信号送受信部６１、制御部６２、表示部６３、データ保存部６４を有する。無線信号送受信部６１は、端末装置１０からのユーザＩＤの受信、端末装置１０へのヘルパーＩＤの送信、撮影装置４０に対する撮影指示の送信、撮影装置４０からの画像ＩＤの受信に用いる無線通信インタフェースである。
【００２３】
制御部６２は、端末装置１０の動作を制御する制御部であり、端末装置１０から受信したユーザＩＤをデータ保存部６４に保存し、データ保存部６４からヘルパーＩＤを読み出して端末装置１０に送信する。また、制御部６２は、撮影指示を撮影装置４０に送信し、撮影装置４０から画像ＩＤを受信して表示部６３に表示するとともに、データ保存部６４に保存する。
【００２４】
撮影装置４０は、撮影部４１、制御部４２、データ保存部４３、無線信号送受信部４４、信号送受信部４５を有する。無線信号送受信部４４は、端末装置１０からのユーザＩＤとヘルパーＩＤの受信、ヘルパー装置６０からの撮影指示の受信、端末装置１０とヘルパー装置６０への画像ＩＤの送信に用いる無線通信インタフェースである。
【００２５】
制御部４２は、撮影装置４０の動作を制御する制御部であり、端末装置１０からユーザＩＤとヘルパーＩＤを受信してデータ保存部４３に保存する。また、制御部４２は、ヘルパーＩＤに基づいて撮影条件を設定する。具体例としては、複数のヘルパーＩＤについて各々撮影条件を定めたテーブルから、受信したヘルパーＩＤに対応する撮影条件を読み出せばよい。また、ヘルパーＩＤ自体に撮影条件の情報を持たせてもよい。
【００２６】
さらに、制御部４２は、ヘルパー装置６０から撮影指示を受けた場合に、撮影部４１による撮影を実行し、撮影によって得られた画像データに識別情報である画像ＩＤを付与する。この画像ＩＤには、撮影装置４０の位置情報と撮影時刻の情報を含む。制御部４２は、画像データと画像ＩＤをデータ保存部４３に保存し、画像ＩＤを端末装置１０とヘルパー装置６０に送信する。この画像ＩＤの送信は、撮影毎に行なう。送信の範囲は一例として１０ｍ程度である。
【００２７】
また、制御部４２は、データ保存部４３から画像ＩＤと画像データを読み出し、信号送受信部４５を介して定期的にサーバにアップロードする。
【００２８】
クライアント２０は、信号送受信部２１、制御部２２、表示部２３、データ保存部２４、透かし確認部２５を有する。信号送受信部２１は、端末装置１０およびサーバ３０と通信する通信部である。信号送受信部２１は、端末装置１０から画像ＩＤを受信する。また、信号送受信部２１は、画像ＩＤをサーバ３０に送信することで画像データを要求し、サーバ３０から画像データを受信する。
【００２９】
制御部２２は、クライアント２０の動作を制御する処理部である。具体的には、制御部２２は、端末装置１０から受信した画像ＩＤをデータ保存部２４に格納する。さらに、制御部２２は、画像ＩＤを所定の地図データにプロットした行動マップを作成してデータ保存部２４に格納する。制御部２２は、行動マップを表示部２３に表示し、ユーザから画像の取得を指示された画像ＩＤをサーバ３０に送る。サーバ３０からは、電子透かしを埋め込まれた透かし入り画像データが提供される。サーバ３０から透かし入り画像データを取得すると、制御部２２は画像データを行動マップ上に重ねて表示した画像マップを作成し、表示部２３に表示する。
【００３０】
透かし確認部２５は、透かし入り電子データに埋め込まれた情報を読み出して表示部２３に表示する。透かし確認部２５による処理は、ユーザの操作によって所望のタイミングで実行可能である。
【００３１】
サーバ３０は、信号送受信部３１、制御部３２、データ保存部３３、電子透かし処理部３４を有する。信号送受信部３１は、撮影装置４０から画像ＩＤと画像データの組み合わせを受信する。また、信号送受信部３１は、クライアント２０から画像ＩＤを指定した画像データの要求を受信し、対応する電子透かし入り画像データをクライアント２０に送信する。
【００３２】
制御部３２は、サーバ３０の動作を制御する処理部である。具体的には、制御部３２は、撮影装置４０などの各種撮影装置から画像ＩＤと画像データの組み合わせを受信し、データ保存部３３に格納する。また、制御部３２は、クライアント２０から画像ＩＤを指定した画像データの要求があった場合に、画像ＩＤに対応する電子透かし入り画像データをデータ保存部３３から読み出してクライアント２０に送信する。
【００３３】
電子透かし処理部３４は、画像データに対してユーザＩＤや事業者ＩＤなどの情報を電子透かしとして埋め込み、透かし入り画像データを作成する処理を行なう。この電子透かし処理部３４による処理は、クライアント２０からの画像要求を受けてから行なっても良いし、サーバ３０が画像データを取得してから画像要求を受けるまでの間に予め行なっておいても良い。以降の説明では、クライアント２０からの画像要求を受けてから電子透かしを埋め込む場合を例示して説明を行なう。
【００３４】
図２は、画像提供システム全体の動作説明図である。まず、端末装置１０がユーザからの操作を受けてヘルパー装置６０にユーザＩＤを通知する。ヘルパー装置６０は、ユーザＩＤの通知を受けて端末装置１０にヘルパーＩＤを通知する。
【００３５】
端末装置１０は、ユーザＩＤとヘルパーＩＤを撮影装置４０に通知する。撮影装置４０は、端末装置１０からユーザＩＤとヘルパーＩＤの通知を受けて撮影条件を設定する。ヘルパー装置６０を携行するスタッフは、撮影準備ができた場合にヘルパー装置６０を操作して撮影指示を送信する。この撮影指示にはヘルパーＩＤを含める事で、ヘルパー装置が複数存在する場合であっても、撮影装置側で送信指示を行なったヘルパー装置を特定可能とすることが好ましい。
【００３６】
撮影装置４０は、撮影指示を受けて撮影を実行し、端末装置１０とヘルパー装置６０に画像ＩＤを通知する。画像ＩＤの通知を受けた端末装置１０とヘルパー装置６０は、それぞれ画像ＩＤを表示するので、ユーザやスタッフは端末装置１０とヘルパー装置６０の表示を確認することで、撮影が正常に終了した事を確認することができる。
【００３７】
撮影装置４０は、画像ＩＤと画像データをサーバ３０にアップロードし、端末装置１０は、画像ＩＤをクライアント２０に通知する。ここで、撮影装置４０は、画像ＩＤと画像データとともに、ユーザＩＤをサーバ３０にアップロードすることができる。サーバ３０は、クライアント２０からサーバ３０に画像ＩＤを指定した画像要求が送られると、対応する画像データに電子透かしを埋め込み、透かし入り電子データをクライアント２０に提供する。
【００３８】
図３は、端末装置、ヘルパー装置、撮影装置の処理動作を説明するフローチャートである。端末装置１０は、ユーザからの操作を受けてヘルパー装置６０にユーザＩＤを送信し（Ｓ１０１）、ヘルパー装置６０からヘルパーＩＤを受信する（Ｓ１０２）。端末装置１０は、ユーザＩＤとヘルパーＩＤを撮影装置４０に送信し（Ｓ１０３）、撮影装置４０から画像ＩＤを受信して（Ｓ１０４）、画像ＩＤを表示し（Ｓ１０５）、処理を終了する。
【００３９】
ヘルパー装置６０は、端末装置１０からユーザＩＤを受信して（Ｓ２０１）、ヘルパーＩＤを送信する（Ｓ２０２）。ヘルパー装置６０は、スタッフからの操作を受けて撮影指示を撮影装置４０に送信し（Ｓ２０３）、撮影装置４０から画像ＩＤを受信する（Ｓ２０４）。ヘルパー装置６０は、画像ＩＤを表示（Ｓ２０５）した後、スタッフの操作に基づいてユーザＩＤと画像ＩＤをリセットし（Ｓ２０６）、処理を終了する。
【００４０】
撮影装置４０は、端末装置１０からユーザＩＤとヘルパーＩＤを受信し（Ｓ３０１）、ヘルパーＩＤに基づいて撮影条件を設定する（Ｓ３０２）。撮影装置４０は、ヘルパー装置６０から撮影指示を受信（Ｓ３０３）すると、撮影を行なって画像ＩＤを付与し（Ｓ３０４）、画像ＩＤを端末装置１０とヘルパー装置６０に送信する（Ｓ３０５）。その後、撮影装置４０は、画像データと画像ＩＤをサーバに送信して（Ｓ３０６）、処理を終了する。なお、ここでは、撮影装置４０が撮影毎に画像データと画像ＩＤの組み合わせをサーバ３０に送信する場合を例示したが、サーバ３０への送信は複数回の撮影を行なった後に複数回分の画像データと画像ＩＤを送信することとしても良い。
【００４１】
図４は、クライアントの処理動作を説明するフローチャートである。クライアント２０は、端末装置１０から画像ＩＤを取得し（Ｓ４０１）、データ保存部２４に保存するとともに、ベース地図データに画像ＩＤをプロットし、行動マップを作成する（Ｓ４０２）。
【００４２】
ここで、ベース地図データは、クライアント２０が予め保持するか、もしくは予め取得する。遊園地やテーマパークに設置された撮影装置から取得した画像ＩＤをプロットするベース地図データは、遊園地やテーマパークなどから取得するようにしてもよい。また、街頭に設置された撮影装置から取得した画像ＩＤをプロットするベース地図データは、例えば任意の地図データを用いることができる。
【００４３】
画像ＩＤには、撮影装置の位置情報と撮影時刻の情報が含まれているので、クライアント２０は、画像ＩＤに含まれる位置情報に基づいてベース地図データ上におけるプロット位置を決定し、撮影時刻についてはユーザに視認可能な情報として行動マップ上に表記する。
【００４４】
クライアント２０は、作成した行動マップを表示部２３に表示する（Ｓ４０３）。行動マップに示した画像ＩＤについて、ユーザから画像取得要求を受け付けた場合（Ｓ４０４，Ｙｅｓ）、クライアント２０は、取得を要求された画像ＩＤをサーバに送信し（Ｓ４０５）、サーバから透かし入り画像データを受信する（Ｓ４０６）。クライアント２０は、受信した透かし入り画像データをベース地図データ、もしくは行動マップに重ねて画像マップを作成し（Ｓ４０７）、画像マップを表示部２３に表示する（Ｓ４０８）。
【００４５】
そして、表示部２３に表示したマップに対してユーザからの画像取得要求が無くなった場合（Ｓ４０４，Ｎｏ）、クライアント２０は、行動マップ、透かし入り画像データ、画像マップをデータ保存部２４に格納して、処理を終了する。
【００４６】
図５は、サーバの処理動作を説明するフローチャートである。サーバ３０は、撮影装置４０から画像ＩＤ、画像データ、ユーザＩＤを取得し、データ保存部３３に保存する（Ｓ５０１）。
【００４７】
サーバ３０は、クライアント２０から画像ＩＤを指定した画像データの要求を受けると（Ｓ５０２，Ｙｅｓ）、画像ＩＤに対応する画像データを選択する（Ｓ５０３）。サーバ３０は、選択した画像データにユーザＩＤと事業者ＩＤを電子透かしで追加し、透かし入り画像データを作成する（Ｓ５０４）。サーバ３０は、この透かし入り画像データをクライアント２０に提供して（Ｓ５０５）、処理を終了する。
【００４８】
図６は、端末装置１０の移動と画像ＩＤの取得についての説明図である。図６に示した例では、撮影装置５１〜５３を示している。エリアＡ１〜エリアＡ３は、それぞれ撮影装置５１〜５３が無線通信可能な範囲であり、各エリア内に図示しないヘルパー装置を配置する。
【００４９】
図６に示した例では、ユーザに携行された端末装置１０はエリアＡ１内の位置Ｐ１、エリアＡ２内の位置Ｐ２、エリアＡ３内の位置Ｐ３の順に移動している。また、端末装置１０が位置Ｐ１に存在するのが時刻Ｔ１、位置Ｐ２に存在するのが時刻Ｔ２、位置Ｐ３に存在するのが時刻Ｔ３である。
【００５０】
端末装置１０は、位置Ｐ１において、ヘルパー装置を介することで撮影装置５１による撮影を行なうことができ、撮影した画像データに対応する画像ＩＤを受信可能である。同様に、端末装置１０は、位置Ｐ２，Ｐ３において、ヘルパー装置を介することで撮影装置５２，５３による撮影を行なうことができ、撮影した画像データに対応する画像ＩＤを受信可能である。
【００５１】
図７は、行動マップの具体例の説明図である。図７に示した行動マップＤ１は、テーマパークの地図データに画像ＩＤに基づくプロットを行なっている。テーマパークの地図データには、アトラクションＥ１〜Ｅ７の位置が示されており、アトラクションＥ１〜Ｅ７には撮影装置５１〜５７が配置されている。
【００５２】
クライアント２０は、このテーマパークの地図データに対して画像ＩＤに基づくプロットを行なう。図７に示した例では、端末装置１０が撮影装置５１から１０時１５分に画像ＩＤを受信し、撮影装置５２から１２時３０分に画像ＩＤを受信し、撮影装置５３から１４時１０分に画像ＩＤを受信している。このため、行動マップＤ１では、アトラクションＥ１〜Ｅ３の近傍に入手可能な画像が存在することを示す表示と、入手可能な画像が撮影された時刻の表示を行なっている。
【００５３】
ユーザが行動マップＤ１を見て、アトラクションＥ１の近傍で撮影された、すなわち撮影装置５１によって撮影された画像データの入手を要求した場合、クライアント２０は、対応する透かし入り画像データをサーバから取得して画像マップを作成する。
【００５４】
図８は、画像マップの具体例の説明図である。図８に示した画像マップＤ２は、撮影装置５１が撮影した画像データＦ１をアトラクションＥ１の近傍に重ね合わせて表示している。
【００５５】
このように、端末装置１０とヘルパー装置６０で識別情報を交換し、ヘルパー装置６０から撮影装置４０に撮影指示を送信して撮影を行なうことで、端末装置１０を携行するユーザは、希望の場所で確実に撮影する事ができ、また端末装置１０を携行するユーザの良好な画像を得る事ができる。
【００５６】
また、ヘルパー装置６０の識別情報に基づいて撮影条件を決定することで、ヘルパー装置６０を携行するキャラクターなどに合せた画像データを得る事ができる。さらに、端末装置１０の識別情報に基づいて撮影条件を決定すれば、端末装置１０を携行するユーザに合せた画像データを得る事ができる。
【００５７】
さらに、ユーザＩＤや事業者ＩＤなどの情報を電子透かしとして埋め込んだ画像を提供するので、不正な画像の流用を監視し、著作権の保護などを行なうことができる。
【００５８】
なお、本実施例はあくまで一例であり、適宜変更して実施する事が可能である。例えば本実施例では、ヘルパー装置がスタッフによって携行され、操作される端末である場合を例に説明を行なったが、ヘルパー装置を撮影装置の近傍に固定し、自動で動作する装置として実施することとしても良い。
【００５９】
また、本実施例では、ヘルパー装置６０からの撮影指示に基づいて撮影を行なう場合の例について説明したが、撮影装置４０が定期的に周囲を撮影し、撮影に際して近傍のヘルパー装置から取得したヘルパーＩＤや近傍の端末装置１０から取得したユーザＩＤに基づいて撮影条件を変更する構成として実施してもよい。
【００６０】
また、本実施例では、サーバ３０が電子透かし処理部を有する構成を例に説明を行なったが、電子透かし処理部を撮影装置側に設けた構成であっても良い。
【産業上の利用可能性】
【００６１】
以上のように、本発明にかかる画像提供方法および画像提供システムは、画像データの提供に有用であり、特に、他者が撮影した画像の提供に適している。
【符号の説明】
【００６２】
１０    端末装置
１１，４４，６１    無線信号送受信部
１２，２４，３３，４３，６４    データ保存部
１３，２１，３１，４５    信号送受信部
１４，２２，３２，４２，６２    制御部
１５，２３，６３  表示部
２０    クライアント
２５    透かし確認部
３０    サーバ
３４    電子透かし処理部
４０，５１〜５７    撮影装置
４１    撮影部
６０    ヘルパー装置
【図１】
2011242865.tif 000003
【図２】
2011242865.tif 000004
【図３】
2011242865.tif 000005
【図４】
2011242865.tif 000006
【図５】
2011242865.tif 000007
【図６】
2011242865.tif 000008
【図７】
2011242865.tif 000009
【図８】
2011242865.tif 000010